(57)【要約】【課題】スライド蓋の開閉表示位置を従来位置より反対側へ表示することで、スライド蓋開閉時に発生する、本体への擦り傷を防止する。【解決手段】ユーザはスライド蓋開閉表示２−１を押して下方向に移動させるよう力を加えることで、複数個キー群ロック用爪１−２からスライド蓋ロック用爪嵌合凹部２−２をはずしてスライド蓋２をレール１−３に沿って移動することができる。このときスライド蓋開閉表示２−１は隙間  ３に対し上下方向に離れた位置にあるからその表示２−１が押されていても隙間  ３の部分にスライド蓋２が本体１に接触しない。従って、擦り傷を防止しながら容易にスライド蓋を開く事が出来る。【選択図】  図１
2005011959.tif 000002
【特許請求の範囲】
【請求項１】
複数個のキー群が設けられる平面領域と、該平面領域の両サイドに平行に設けられる２つのレールと、前記平面領域を略完全に覆う位置と前記平面領域を略全て露出する位置との間を前記レールに案内されて移動可能なスライド蓋と、該スライド蓋が前記平面領域を略完全に覆う位置にあるとき、前記スライド蓋を保持するロック手段とを、
備えたスライド蓋付き電子機器において、
前記スライド蓋に、その移動方向において前記スライド蓋のロック手段が形成されている位置と同じ位置に、  押すことにより前記ロック手段によるロック状態を解除する、
マークを形成したスライド蓋付き電子機器。
【発明の詳細な説明】
【０００１】
【発明の属する技術分野】
この発明は、必要に応じ蓋を開閉できるスライド蓋付き電子機器に関するものである。
【０００２】
【従来の技術】
図５は従来のリモコンの平面図であり、（ａ）は蓋を開けた状態、（ｂ）は蓋を閉じた状態、（ｃ）は側面図である。図５に示すように本実施形態のリモコン装置は本体１、複数個キー群１−１、複数個キー群ロック用爪１−２、レール１−３、スライド蓋２、スライド蓋開閉表示２−１、スライド蓋ロック用爪嵌合凹部２−２から構成されている。
【０００３】
複数個キー群１−１は、本体１の図における上部表面に配置されており、複数個キー群１−１の両端上部位置には、凸状の複数個キー群ロック用爪１−２が形成されている。また、レール１−３は、本体１の両端に、本体の上部から下部にかけての全長に亘り形成されている。
【０００４】
スライド蓋２は複数個キー群１−１を覆う断面が逆皿状の形状を有し、その側面内側には、このスライド蓋２が図５（ｂ）の位置にあるときに、前記レール１−３の両端にある複数個キー群ロック用爪１−２に対向する位置にスライド蓋ロック用爪嵌合凹部２−２が形成されている。
【０００５】
以上の構成で、スライド蓋２は、レール１−３に沿って上下に移動することができる。また、スライド蓋２の下部表面には、凹凸を有するスライド蓋開閉表示（印刷でも可）２−１が形成されている。スライド蓋開閉表示２−１の位置は、スライド蓋ロック用爪嵌合凹部２−２と上下方向に反対の位置にする。
【０００６】
ユーザはスライド蓋開閉表示２−１を押して下方向又は上方向に移動させることで複数個キー群ロック用爪１−２からスライド蓋ロック用爪嵌合凹部２−２をはずしてスライド蓋２をレール１−３に沿って移動することができる。
なお、スライド機構を備えた装置は例えば特許文献１のようなものがある。
【０００７】
【特許文献１】
特開平５−２９４３３７号公報
【０００８】
【発明が解決しようとする課題】
ところが、このような装置の場合、デザイン上スライド蓋と本体との間に隙間が取れない構造のものがある。このような従来技術の場合、所定位置にある表示部を押しながら移動させようとすると、前記表示部が位置するその蓋の下端部が本体に表面接触して傷が入ってしまう。図本体が塗装仕上げの場合は顕著に擦り傷２−３が入ってしまう。
【０００９】
この発明の目的は、スライド蓋の開閉表示位置を従来位置より反対側へ表示することで、スライド蓋開閉時に発生する、本体への擦り傷を防止することにある。
【００１０】
【課題を解決するための手段】
この発明は、複数個のキー群が設けられる平面領域と、該平面領域の両サイドに平行に設けられる２つのレールと、前記平面領域を略完全に覆う位置と前記平面領域を略全て露出する位置との間を前記レールに案内されて移動可能なスライド蓋と、該スライド蓋が前記平面領域を略完全に覆う位置にあるとき、前記スライド蓋を保持するロック手段とを、
備えたスライド蓋付き電子機器において、
前記スライド蓋に、その移動方向において前記スライド蓋のロック手段が形成されている位置と同じ位置に、  押すことにより前記ロック手段によるロック状態を解除する、
マークを形成したことを特徴としている。
この構成では、マークを押してスライド蓋を移動させるときに、マークと反対側に位置している本体とスライド蓋との間の隙間がそのまま維持されるため、この隙間の部分で擦り傷が生じない。このため、擦り傷を防止しながら容易にスライド蓋を開く事が出来る。
【００１１】
【発明の実施の形態】
以下に、  本発明の実施形態に係るスライド蓋について図面を参照しつつ詳細に説明する。図１は本発明に係るリモコンの平面図であり、（ａ）は蓋を開けた状態、（ｂ）は蓋を閉じた状態、（ｃ）側面図を示す。図２は、（ａ）側面断面図、（ｂ）部分拡大図である。図１、図２に示すように本実施形態のリモコン装置は本体１、複数個キー群１−１、複数個キー群ロック用爪１−２、レール１−３、スライド蓋２、本発明のマークに対応するスライド蓋開閉表示２−１、スライド蓋ロック用爪嵌合凹部２−２から構成されている。複数個キー群ロック用爪１−２とスライド蓋ロック用爪嵌合凹部２−２とにより本発明におけるロック手段を構成する。
【００１２】
複数個キー群１−１は、本体１の図における上部表面に配置されており、複数個キー群１−１の左右両端上部位置には、凸状の複数個キー群ロック用爪１−２が形成されている。また、レール１−３は、本体１の両端に、本体の上部から下部にかけての全長に亘り形成されている。
【００１３】
スライド蓋２は複数個キー群１−１を覆う断面が逆皿状の形状を有し、その側面内側には、このスライド蓋２が図１（ｂ）の位置にあるときに、前記レール１−３の両端にある複数個キー群ロック用爪１−２に対向する位置にスライド蓋ロック用爪嵌合凹部２−２が形成されている。
【００１４】
以上の構成で、スライド蓋２は、レール１−３に沿って上下に移動することができる。また、スライド蓋２の上部表面には、凹凸を有するスライド蓋開閉表示（印刷でも可）２−１が形成されている。スライド蓋開閉表示２−１の位置は、スライド蓋ロック用爪嵌合凹部２−２と上下方向に同じ位置にする。
【００１５】
スライド蓋２の下部には、スライド蓋２の上下移動に差し支えが生じず且つ内側にチリやほこりが侵入しないように、本体との間に図２（ｂ）で示す適当な隙間３が形成されている。
【００１６】
ユーザはスライド蓋開閉表示２−１を押して下方向に移動させるよう力を加えることで、複数個キー群ロック用爪１−２からスライド蓋ロック用爪嵌合凹部２−２をはずしてスライド蓋２をレール１−３に沿って移動することができる。
【００１７】
このときスライド蓋開閉表示２−１は隙間  ３に対し上下方向に離れた位置にあるからその表示２−１が押されていても隙間  ３の部分にスライド蓋２が本体１に接触しない。従って、擦り傷を防止しながら容易にスライド蓋を開く事が出来る。
【００１８】
図３は本発明に係るスライド蓋を適用した計算機の平面図であり、（ａ）は蓋を開けた状態、（ｂ）は蓋を閉じた状態、（ｃ）は側面図を示す。図４は、（ａ）側面断面図、（ｂ）部分拡大図、である。図３、図４に示すように本実施形態の計算機装置は、本体１、複数個キー群１−１、複数個キー群ロック用爪１−２、レール１−３、スライド蓋２、スライド蓋開閉表示２−１、スライド蓋ロック用爪嵌合凹部２−２から構成されている。
【００１９】
複数個キー群１−１は、本体１の図における左部表面に配置されており、複数個キー群１−１の上下両端左部位置には、凸状の複数個キー群ロック用爪１−２が形成されている。また、レール１−３は、本体１の上下両端に、本体の左部から右部にかけての全長に亘り形成されている。
【００２０】
スライド蓋２は複数個キー群１−１を覆う断面が逆皿状の形状を有し、その側面内側には、このスライド蓋２が図３（ｂ）の位置にあるときに、前記レール１−３の両端にある複数個キー群ロック用爪１−２に対向する位置にスライド蓋ロック用爪嵌合凹部２−２が形成されている。
【００２１】
以上の構成で、スライド蓋２は、レール１−３に沿って左右に移動することができる。また、スライド蓋２の左部表面には、凹凸を有するスライド蓋開閉表示（印刷でも可）２−１が形成されている。スライド蓋開閉表示２−１の位置は、スライド蓋ロック用爪嵌合凹部２−２と左右方向に同じ位置にする。
【００２２】
スライド蓋２の長さ方向右部には、スライド蓋２の左右移動に差し支えが生じず且つ内側にチリやほこりが侵入しないように、本体との間に図４（ｂ）で示す適当な隙間３が形成されている。
【００２３】
ユーザはスライド蓋開閉表示２−１を押して右方向に移動させるよう力を加えることで、複数個キー群ロック用爪１−２からスライド蓋ロック用爪嵌合凹部２−２をはずしてスライド蓋２をレール１−３に沿って移動することができる。
【００２４】
このときスライド蓋開閉表示２−１は隙間３に対し、左右方向に離れた位置にあるからその表示２−１が押されていても隙間３の部分にスライド蓋２が本体１に接触しない。従って、擦り傷を防止しながら容易にスライド蓋を開く事が出来る。
【００２５】
【発明の効果】
この発明によれば、マークを押してスライド蓋を移動させるときに、マークと反対側に位置している本体とスライド蓋との間の隙間がそのまま維持されるため、この隙間の部分で擦り傷が生じない。このため、擦り傷を防止しながら容易にスライド蓋を開く事が出来る。
【図面の簡単な説明】
【図１】本発明に係るリモコンの平面図
（ａ）蓋を開けた状態
（ｂ）蓋を閉じた状態
（ｃ）側面図
【図２】（ａ）側面断面図
（ｂ）部分拡大図
【図３】本発明に係るスライド蓋を適用した計算機の平面図
（ａ）蓋を開けた状態
（ｂ）蓋を閉じた状態
（ｃ）側面図
【図４】（ａ）側面断面図
（ｂ）部分拡大図
【図５】従来のリモコンの平面図
（ａ）蓋を開けた状態
（ｂ）蓋を閉じた状態
（ｃ）側面図
【図１】
2005011959.tif 000003
【図２】
2005011959.tif 000004
【図３】
2005011959.tif 000005
【図４】
2005011959.tif 000006
【図５】
2005011959.tif 000007